(57)【要約】【課題】鏡筒本体と操作リングを確実にロックすることができ、このロックの際に鏡筒本体の変形を生じさせることがなく、かつロック作業を単純化させることができる操作リング保持機構つきレンズ鏡筒を提供する。【解決手段】鏡筒１における操作リング８を鏡筒本体６に保持する保持機構を持つレンズ鏡筒であって、鏡筒本体６及び操作リング８のうちのいずれか一方の部材に光軸４に垂直な押し圧用面２２を有する押し圧用壁４３を設け、他方の部材に光軸４を含む平面内に可動に装着されている押し圧部材を設け、押し圧部材を駆動して一方の部材が有する押し圧用面２２に可動方向から押し付けて一方の部材と他方の部材とをロックするように構成する。【選択図】  図１
2009251479.tif 000002
【特許請求の範囲】
【請求項１】
鏡筒本体と前記鏡筒本体に前記光軸周りに回転変位が可能に外嵌する操作リングとを有する鏡筒における前記操作リングを前記鏡筒本体に保持する保持機構を持つレンズ鏡筒であって、
前記保持機構は、前記鏡筒本体及び前記操作リングのうちのいずれか一方の部材に径方向に突出した押し圧用壁を設け、他方の部材に前記光軸を含む平面内に可動に装着されている押し圧部材を設け、前記押し圧部材を駆動して前記押し圧用壁に前記可動方向から押し付けて前記一方の部材と前記他方の部材とをロックするように構成したことを特徴とするレンズ鏡筒
【請求項２】
前記押し圧部材は、前記他方の部材に、前記光軸を中心とした円周の接線方向に平行な回転軸を中心として、前記一方の部材が有する押し圧用壁を前記可動方向に沿って押し付けて前記他方との部材の回動をロックする位置と前記ロックを解除する位置との間で回動可能に装着されていることを特徴とする請求項１に記載のレンズ鏡筒
【請求項３】
前記ロック位置にある前記押し圧部材の前記ロックを解除させる方向への移動を抑止するロック解除防止機構を備えることを特徴とする請求項１又は請求項２に記載のレンズ鏡筒
【請求項４】
前記押し圧部材には前記押し圧部材に螺着または挿着されまたは前記押し圧部材と一体的に形成され前記光軸を含む平面内に可動な操作レバーが取り付けられており、
前記ロック解除防止機構は、前記操作レバーと前記押し圧部材とが協働して前記他方の部材を狭持する構造を有することを特徴とする請求項３記載のレンズ鏡筒
【請求項５】
前記押し圧用壁は、前記一方の部材の前記光軸方向における後部分または前部分に形成されていることを特徴とする請求項１〜４のいずれかに記載のレンズ鏡筒
【発明の詳細な説明】
【技術分野】
【０００１】
この発明はフォーカスリングやズームリングや絞りリングなどの操作リングを持つレンズ鏡筒における操作リングの回転位置を保持する操作リング保持機構つきのレンズ鏡筒に関するものである。
【背景技術】
【０００２】
フォーカシング操作やズームミング操作、絞り操作を手動で行う監視カメラ等のレンズ鏡筒には、それぞれフォーカスリングやズームリング、絞りリングなど手動で回転する操作リングが設けられており、その操作リングを回転操作することにより、フォーカシングやズーミング、絞りの開閉が行われている。
【０００３】
この操作リングには、フォーカシング後やズーミング後に不用意に操作リングが回転しないようにロック機構が設けられている。
一般的には、このロック機構は、操作リングに取付けられているロックビスを鏡筒に押し付け、ねじ込むことによってロックを行っている。
【０００４】
しかしロックビスをレンズ鏡筒に押し付けることによるロック機構ではロックビス先端とレンズ鏡筒の接触面積が小さいことにより十分な摩擦力（抵抗力）が得られず、ロックがあまくなってしまうため、より強くロックビスを締め付ける必要がある。しかしロックビスを強く締め付けることにより、大きな締め付け力がレンズ鏡筒上で局所的に集中してしまい、レンズ鏡筒が変形し、光学性能の低下を引き起すという問題が発生する。
【０００５】
【特許文献１】特開２００４−５４１８６
【特許文献２】特開２００４−８５７０９
【発明の開示】
【発明が解決しようとする課題】
【０００６】
そこでロックビスの先端がレンズ鏡筒を局所的に押すことを少なくしたロック機構が開発された。
特許文献１に示された技術はストッパーつまみの先端にストッパープレートを取り付け、そのストッパープレートをストッパーつまみをまわして半径方向外側に変位させ、操作リング又は鏡筒本体に形成された溝の壁面に内側から接触させて摩擦によりロックしようとするもので、鏡筒を外側から内側に向けて押し圧するのを避け、鏡等の変形を少なくしようとするものである。しかしこの引用文献１の技術は、溝の形成など操作リング又は鏡筒本体の構造が複雑になることのほかに、片持ちはり状のストッパープレートの弾性変形などが生じ易くロックに必要な充分な摩擦力を得るのが必ずしも容易ではない。
【０００７】
また、特許文献２に示された技術は、フォーカス操作に片持ち板ばね状に取付けたロック板をロックねじで押して固定筒に当接させて摩擦力を発生させロックする構造のロック機構であり、このロック機構は構造が比較的に簡単で、局所的に集中した力を固定筒に作用させることは防ぐことができるが、原理的には固定筒を光軸側に押す作用があるので、極端に大きな力で押した場合には固定筒が変形する可能性が残っている。
【０００８】
この発明は上記の如き事情に鑑みてなされたものであって、鏡筒本体と操作リングを確実にロックすることができ、このロックの際に鏡筒本体の変形を生じさせることがなく、かつロック作業を単純化させることができる操作リング保持機構つきのレンズ鏡筒を提供することを目的とするものである。
【課題を解決するための手段】
【０００９】
この目的に対応してこの発明のレンズ鏡筒は、鏡筒本体と前記鏡筒本体に前記光軸周りに回転変位が可能に外嵌する操作リングとを有する鏡筒における前記操作リングを前記鏡筒本体に保持する保持機構を持つレンズ鏡筒であって、
前記保持機構は、前記鏡筒本体及び前記操作リングのうちのいずれか一方の部材に径方向に突出した押し圧用壁を設け、他方の部材に前記光軸を含む平面内に可動に装着されている押し圧部材を設け、前記押し圧部材を駆動して前記押し圧用壁に前記可動方向から押し付けて前記一方の部材と前記他方の部材とをロックするように構成したことを特徴としている。
【発明の効果】
【００１０】
請求項１に記載した発明では、鏡筒本体と操作リングのうちのいずれか一方の部材にはレンズの光軸に垂直な押し圧用壁が形成され、他方の部材には押し圧部材が枢設され他方の部材と押し圧用壁との間に押し圧部材が押し入れられて押圧力によって発生する摩擦力により両者をロックしている。この場合に両者に作用する押圧力の作用方向は光軸方向であるので、半径方向すなわち一方の部材、例えば鏡筒本体を外側から内側に向けて押し圧するものではないので、鏡筒本体の歪による光学的性能に影響を与えるような変形を与えることはない。
この構造のロック機構によって、鏡筒本体と操作リングを確実にロックすることができると共に、このロックの際に一方の部材、例えば鏡筒本体の変形を生じさせることがない。
【００１１】
請求項２に記載した発明では、押し圧部材の押し入れは、操作レバー等の操作ハンドルによってワンタッチで行うことができるので、ロックのビスのねじ込みなどと比較しても、ロック作業を単純化させることができる。
【００１２】
請求項３に記載した発明では押し圧部材のロック緩み方向への後退を防ぐロック解除防止機構を備えるので、ロック状態の維持が確実である。
【００１３】
請求項４に記載した発明では押し圧部材にビスまたは棒材などからなる操作ハンドルを取り付けたので、ワンタッチのロック操作が容易になる。また、ロック解除防止機構の、操作ハンドルと押し圧部材が協働して他方の部材を挟持するので、ロック解除の原因となる操作ハンドルの後退を確実に抑止することができる。
【００１４】
請求項５に記載した発明では、一方の部材、例えば鏡筒本体の前部分に設けられた押し圧用壁から押し圧部材を介して押圧力を受ける他方の部材、例えば操作リングが鏡筒の後方に押されても、その操作リングを支える構造は、鏡筒上の他の構造から容易に得ることができるので、操作リングを支えるための特別な受け構造を必要とせず、鏡筒の構造を複雑にすることを避けることができる。
【発明を実施するための最良の形態】
【００１５】
以下この発明の詳細を実施の最良の形態について図面を参照して説明する。
（実施例１）
まずロックする一方の部材と他方の部材のうち、鏡筒本体を一方の部材とし操作リングを他方の部材とする実施例について説明する。
図１から図５において、１は鏡筒であり、この実施形態では鏡筒１は前部鏡筒２と後部鏡筒３を光軸４方向に備え、その間に絞り装置５を配置している。
【００１６】
前部鏡筒２はフォーカシングのための鏡筒であり、後部鏡筒３はズーミングのための鏡筒である。
前部鏡筒２は鏡筒本体６とレンズ保持枠７と操作リング８とを備えている。
鏡筒本体６には筒壁１１を貫通する案内スリット１２が光軸４方向に形成されている。
レンズ保持枠７は鏡筒本体６内で後述する従動子部材１４を介して案内スリット１２に案内されて光軸４方向に直線変位が可能である。
【００１７】
操作リング８は鏡筒本体６に外嵌し、内周面には螺旋状の案内溝１３が形成されている。
鏡筒本体６の案内スリット１２には棒状の従動子部材１４が光軸４に垂直な方向に貫通していて、従動子部材１４の一端は操作リング８の案内溝１３に相対変位可能に係合しており、他端はレンズ保持枠７に係止していて、操作リング８の回転によって案内溝１３に強制されている従動子部材１４が鏡筒本体６の案内スリット１２に沿った直線変位に変換され、この従動子部材１４の直線変位がレンズ保持枠７に伝達される。
こうして操作リング８とレンズ保持枠７との間に回転変位―直線変位変換機構１５が形成される。
【００１８】
一方、操作リング８と鏡筒本体６との間には操作リング保持機構１６が形成される。
操作リング保持機構１６は同心状に相対回転変位可能に配置された一方の部材と他方の部材との２つの円環状の部材（この実施例１では鏡筒本体６と操作リング８）を相互に保持して両者の相対回転が生起しないようにする機構であるので、このような機構は鏡筒１の後部鏡筒３にも、絞り装置５にも適用可能な機構であるが、この実施例１では、鏡筒本体６を一方の部材とし操作リング８を他方の部材とした実施例として、鏡筒本体６と操作リング８との間の相互保持のための操作リング保持機構１６として適用した例である。
【００１９】
操作リング保持機構１６は操作リング８に設けた押し圧部材保持部１８内に配置された押し圧部材２１と鏡筒本体６に設けられた押し圧用面２２とを有している。
押し圧部材保持部１８は光軸４周りの所定の角度位置に操作リング８の筒面よりも外側にドーム状に張り出したフレーム２３を設けてある。フレーム２３の後端２４は少なくとも押し圧部材２１の厚み以上の幅で開放である。
【００２０】
フレーム２３の上壁２６には光軸４方向にスリット２７が形成されおり、フレーム２３内に押し圧部材２１が収容される。スリット２７は後述するハンドル２８を通すことができる幅を有する。
押し圧部材２１は鏡筒本体６の接線方向に平行な回転軸３１によってフレーム２３内に枢支されている。押し圧部材２１は回転軸３１を有し、フレーム２３の後端２４の開口部から挿入され、回転軸３１が支持溝４２に支持されているときに押し圧部材２１は回転軸３１周りに回転可能にフレーム２３に取付けられる。押し圧部材２１は回転軸３１に垂直な輪郭が回転軸３１の周りに半径ｒの円弧部分３３と半径ｒよりも大きい距離の位置にある当接部３４とを連続させた形状を有していて押し圧部材２１が回転軸３１周りに回転した場合に、円弧部分３３では離れた位置にある押し圧用面２２と当接しないが、当接部３４では押し圧用面２２に当接し得る。当接部３４は平面からなる当接面４１を有する。押し圧部材２１はねじ孔３２が光軸４に垂直な方向に設けられていて、このねじ孔３２にハンドル２８がねじ込まれて、押し圧部材２１と連結している。
【００２１】
このハンドル２８は押し圧部材２１を操作するための棒材などであるが、この実施例ではハンドル２８としてビス３５を使用していて、ビス３５のねじ部３６がフレーム２３のスリット２７を通してフレーム２３の内部に達し、押し圧部材２１のねじ孔３２にねじ込まれて押し圧部材２１に固定している。ビス３５の頭部３７は径がスリット２７の幅よりも大きいので、スリット２７を通過せず、フレーム２３の上方に位置する。このビス３５の頭部３７は操作用つまみとして機能する部分である。
【００２２】
鏡筒本体６は後端に径方向すなわち光軸に直交する方向に突出した円環形つば状の押し圧用壁４３を有し、この押し圧用壁４３の前面に光軸４に垂直な押し圧用面２２が形成されている。この押し圧用面２２には正立状態における押し圧部材２１の当接面４１が平行に対向する。
【００２３】
このように構成された操作リング保持機構１６の動作について説明する。
フォーカシング操作として鏡筒本体６の外周で操作リング８を回転させると回転変位−直線変位変換機構１５の作用により、レンズ保持枠７が直線変位する。フォーカシングが完了したら、操作リング８をその回転位置に保持する必要があるので、操作リング保持機構１６を動作させる。この動作としては、ビス３５の頭部３７を摘んで、図５に示す倒れた状態から矢印４５で示す方向に押し立てるとビス３５はフレーム２３のスリット２７に沿って立ち上り、これとともに押し圧部材２１も回転軸３１周りに回転し、図４に示す正立姿勢となる。
【００２４】
この押し圧部材２１の正立姿勢では、当接面４１が鏡筒本体６の押し圧用面２２に当接し、回転軸３１は支持溝４２の溝端４０において位置決めされ、さらに当接部３４の回転軸３１からの径が大きいことにより押し圧用面２２に押し込まれると当接の合力により鏡筒本体６と操作リング８があたかも心張り棒として作用する押し圧部材２１を介して押し合うこととなり、摩擦力で鏡筒本体６と操作リング８がロックされることになり、操作リング８の回転位置は鏡筒本体６に保持される。
【００２５】
これで鏡筒本体６と操作リング８との保持動作は完了するが、その後ビス３５をねじ孔３２にねじ込んで操作リング８のフレーム２３にビス３５を押し付けて、ビス３２の頭部３７と押し圧部材２１とが協働してフレーム２３を挟持させることによって一層の緩み止めが発揮される。
【００２６】
（実施例２）
ハンドル２８としてはビス３２を使用することの他に、単に押し圧部材２１に抜き刺しできる棒材であってもよい。
この場合は図６に示すように、押し圧部材２１と押し圧用面２２との当接が完了した後に、棒状のハンドル２８を押し圧部材２１の孔に差し込み、フレーム２３の上面４７にハンドル２８の頭部４６を接触させておけば摩擦力でロックが確実になる。ハンドル２８が接触するフレーム２３の上面４７を曲面とせずに平面に形成しておけばハンドル２８にはロックがはずれる方向の分力が作用することがないのでロックは確実である。
【００２７】
さらに、図６に示すように、フレーム２３の上面２６の入口部に係止用突起４４を設けて、ハンドル２８のもどりを抑止すれば、ロックはさらに確実である。
【００２８】
（実施例３）
前述の実施例１で採用したような構造の場合は、わずかでも保持された操作リング８が鏡筒本体６の押し圧用壁４３から押されて案内溝１３の傾斜により、操作リング８が前方に抜ける方向の分力の作用を受けるので、抜け防止の部材を準備する必要がある場合も生じる。
【００２９】
そこで図２に仮想線で示すように押し圧用壁４３ａを鏡筒本体６の前端部に設けて、それに対応して操作リング８の操作リング保持機構１６を設ければ、保持された操作リング８は押し圧用壁４３から後方に押される分力を受けることになる。しかるにこの場合はその分力を受けるのに特別の抜け防止部材を設けなくても、後部鏡筒３上の構造物で代替することは設計上容易であるので、実施例１の場合よりも抜け防止部材の分だけ部品数を減少させることができる。
【００３０】
以上説明した実施例のレンズ鏡筒では、ロック位置にある押し圧部材が鏡筒本体を押す反作用等として、鏡筒本体から力を受け、この力に長時間にわたって振動が重畳した場合などには、押し圧部材をロック位置から後退させて、ロックを解除させる動きを生起する方向に力が作用してロックが緩む場合も考えられる。そこで、この発明ではこのロックの緩みを防止するロック解除防止機構が備えられている。
【００３１】
このロック解除防止機構としては、例えば、前記したような押し圧部材に固着しているハンドル２８を構成するビス３５の頭部４６が接触するフレーム２３の上面を光軸４と平行な平面として構成し、回転軸３１回りのトルクを発生させる接線方向の分力を平面が受ける構造や、フレーム２３の上面にハンドル２８が係止する係止突起４４を設けることや、またフレーム２３を押し圧部材２１とビス３５の頭部３７とで狭持する構造や、さらには、押し圧用壁４３を鏡筒本体６の先端部分に設けて、ここに操作リング保持機構１６を構成し、押し圧部材２１に作用する反力を後部鏡筒３で受ける構造は、ロック解除防止機構の一例である。
【００３２】
また、この発明の第３の実施例においては押し圧部材に連結する操作ハンドルの先端が鏡筒本体の外周面とは離れた非接触の状態になっているので、操作ハンドルの先端が光軸に垂直な方向に鏡筒本体を押す部分は完全に存在しないので、操作リングのロックが、鏡筒の歪みに原因する光学系への悪影響を完全に排除することができる。また、操作ハンドルの先端が鏡筒本体の外周面と非接触でなく、仮に接触していたとしても、一方の部材に対して径方向つまり光軸直交方向に押し付ける付勢力は生じず、ロック解除防止機構が作用する構成である。
【００３３】
以上説明したこの発明の操作リング保持機構によれば、
鏡筒本体には光軸に垂直な押し圧用壁が形成され、操作リングと押し圧用壁との間に保持部が押し入れられて押圧力によって発生する摩擦力により両者をロックしている。この場合に両者に作用する押圧力の作用方向は光軸方向であるので、半径方向すなわち鏡筒本体を外側から内側に向けて押し圧するものではないので、鏡筒本体の光学的性能に影響を与えるような変形を与えることはない。
【００３４】
この構造のロック機構によって、鏡筒本体と操作リングを確実にロックすることができると共に、このロックの際に鏡筒本体の変形を生じさせることがない。
押し圧部材の押し入れは、操作レバー等の操作ハンドルによってワンタッチで行うことができるので、ロックのビスのねじ込みなどと比較しても、ロック作業を単純化させることができる。
【００３５】
操作リングの回転変位をレンズ保持枠の直線変位に変換する機構を、鏡筒本体に光軸方向に形成したスリットと、そのスリットを貫通する従動子部材の外端を操作リングの螺旋状案内溝に係合させ、内端をレンズ保持枠に固定した構造であるので、構造が簡単である。
【００３６】
しかも、押し圧部材にビスまたは棒材からなる操作ハンドルを取り付けたので、ワンタッチのロック操作が容易になる。
【００３７】
さらに、鏡筒本体の前部分に設けられた押し圧用壁から押し圧部材を介して押圧力を受ける操作リングが鏡筒の後方に押されても、その操作リングを支える構造は、鏡筒上の他の構造から容易に得ることができるので、操作リングを支えるための特別な受け構造を必要とせず、鏡筒の構造を複雑にすることをさけることができる
以上の説明から明らか通り、この発明によれば、鏡筒本体と操作リングなど同心状に配置された２つの部材を確実にロックすることができ、このロックの際に鏡筒本体の変形を生じさせることがなく、かつロック作業を単純化させることができる操作リング保持機構をもつレンズ鏡筒を得ることができる。
【図面の簡単な説明】
【００３８】
【図１】この発明の鏡筒の正面図
【図２】鏡筒の縦断面図
【図３】操作リング保持機構の縦断面分解図
【図４】操作リング保持機構の縦断面図
【図５】操作リング保持機構の保持動作前の状態を示す縦断面図
【図６】操作リング保持機構の保持動作後の状態を示す縦断面図
【符号の説明】
【００３９】
１    鏡筒
２    前部鏡筒
３    後部鏡筒
４    光軸
５    絞り装置
６    鏡筒本体
７    レンズ保持部枠
８    操作リング
１１  筒壁
１２  案内スリット
１３  案内溝
１４  従動子部材
１５  回転変位―直線変位変換機構
１６  操作リング保持機構
１８  押し圧部材保持部
２１  押し圧部材
２２  押し圧用面
２３  フレーム
２４  後端
２５  下面
２６  上壁
２７  スリット
２８  ハンドル
３１  回転軸
３２  ねじ孔
３３  円弧部分
３４  当接部
３５  ビス
３６  ねじ部
３７  頭部
４１  当接面
４２  支持溝
４３  押し圧用壁
４４  係止突起
４５  矢印
４６  頭部
【図１】
2009251479.tif 000003
【図２】
2009251479.tif 000004
【図３】
2009251479.tif 000005
【図４】
2009251479.tif 000006
【図５】
2009251479.tif 000007
【図６】
2009251479.tif 000008